(57)【特許請求の範囲】
【請求項１】
通水管が接続される継手本体と、
建物の被取付面に取付けられる取付台座と、
前記継手本体と前記取付台座とを所定距離離間して連結する連結部とを備え、
前記建物に設置されたボルト体が挿通可能なボルト体挿通孔が、前記連結部のみに設けられたことを特徴とする通水管継手。
【請求項２】
前記ボルト体挿通孔は、前記ボルト体の軸方向に沿う筒状に形成され、両開口部に該ボルト体に螺合するナットが当接する当接部が形成されていることを特徴とする請求項１に記載の通水管継手。
【請求項３】
前記ボルト体挿通孔の一側の開口部の外方に、前記ナットの側面と当接して該ナットの回動を規制する回り止め部が設けられていることを特徴とする請求項２に記載の通水管継手。
【発明の詳細な説明】
【技術分野】
【０００１】
本発明は、建物の床下から床上への立上げ部や壁面等に取付けられ、通水管が接続される通水管継手に関するものである。
【背景技術】
【０００２】
従来より、建物の床下や壁裏などに湯水等が通流する通水管を配管し、これを継手を介して床上に立ち上げ、或いは壁表に引き出して、台所流し、洗面、トイレ等に給水することが行なわれている。ここで用いられる継手は、通常、床下に立設されたボルト体に取付金具等を介して取付けられ、或いは取付台座を介して壁面や壁裏の桟等に取付けられている。床下のボルト体に取付けられる継手については、特許文献１に記載の技術などが開示されている。特許文献１の継手は、側腹部に張出フランジを設け、張出フランジに設けた挿通孔に固定機構を備えたボルト体を挿通する構成として、継手の取付高さ等を調整できるようになっている。また、取付台座を介して壁面等に取付けられる継手として、特許文献２に記載のものなどが開示されている。
【先行技術文献】
【特許文献】
【０００３】
【特許文献１】特開２００６−２１４５０２公報
【特許文献２】意匠登録第１１７４７９３号公報
【発明の概要】
【発明が解決しようとする課題】
【０００４】
しかし、従来は、上記のように、床下のボルト体への取付けについては、特許文献１に記載の継手等が用いられ、壁面等への取付けについては、特許文献２に記載の継手等が用いられるなど、取付箇所に応じて専用の継手が用いられていた。例えば、床下においては、根太やこれを支える横木である大引き或いは大引きを支える床束などが張り出していて、これら根太等の近傍に継手を取付ける必要が生じたときには、スペース的に根太等が支障となってこの箇所にボルト体を立設することができないから、床下のボルト体への取付けに用いられる継手は取付けることができず、したがって、この場合には、別途に、壁面用の継手を用いてこれを根太等に取付けなければならなかった。このように、従来は、取付箇所に応じて床下のボルト体取付用と壁面等への取付用の２種類の継手を使い分けて用いる必要があった。
【０００５】
そこで、本発明は、ボルト体に取付けることができるとともに壁面等にも兼用して取付けることができ、取付箇所に応じて自在に取付けることができる通水管継手の提供を課題とするものである。
【課題を解決するための手段】
【０００６】
請求項１の通水管継手は、通水管が接続される継手本体と、建物の被取付面に取付けられる取付台座と、継手本体と取付台座とを所定距離離間して連結する連結部とを備え、連結部のみに、建物に設置されたボルト体が挿通可能なボルト体挿通孔が設けられている。
【０００７】
ここで、継手本体は、一側に通水管が接続され、他側に本発明の継手と異なる他の通水管用の継手が接続される。建物の被取付面としては、間仕切り壁等の壁面や床下の根太の側面などが挙げられる。継手本体と取付台座との離間距離は少なくとも工具や手を通水管の後方に回して接続作業を行なうことのできる間隔である。
【０００８】
請求項２の通水管継手は、特に、ボルト体挿通孔が、ボルト体の軸方向に沿う筒状に形成され、両開口部にボルト体に螺合するナットが当接する当接部が形成されている。
【０００９】
請求項３の通水管継手は、特に、ボルト体挿通孔の一側の開口部の外方に、ナットの側面と当接してナットの回動を規制する回り止め部が設けられている。
【発明の効果】
【００１０】
請求項１の発明は、被取付面に取付けられる取付台座及びボルト体挿通孔を備えているので、ボルト体に取付けることができるとともに、取付台座を介して壁面等に直接取付けることもでき、２種類の取付箇所に兼用できるため、取付箇所に応じて継手を使い分ける必要がない。これにより、例えば、建物の床下における通水管の配管においては、継手を根太や大引き等から離間した箇所に取付けることができるとともに、根太や大引き等の近傍に取付けることもでき、取付箇所を選ばず継手を自在に取付けることができ、便利である。
【００１１】
加えて、継手本体と取付台座との連結部にボルト体挿通孔が設けられているから、従来の特許文献２に記載の取付台座付きの継手などにおける、単に継手本体と取付台座との間に作業空間を形成するに過ぎなかった連結部を有効活用できる。これにより、ボルト体に取付けるに必要なボルト体挿通孔を連結部にすっきりまとまった状態に収めることができ、ボルト体への取付部を継手本体の側方等に別途に設けることによって出張りを生じることがないから、通水管継手全体がコンパクトにまとまり、継手の取り扱い作業性も向上する。
【００１２】
請求項２の発明は、ボルト体挿通孔が筒状に形成されているから、筒状の連結部にボルト体がその軸方向に沿って挿通されることにより、継手は一定向きに案内され、ボルト体に対して傾いたりすることなく一定姿勢に安定して保持される。
【００１３】
請求項３の発明は、ボルト体挿通孔の一側の開口部の外方に、ナットの回り止め部が設けられているから、一対のナットをボルト体に螺着し、継手をボルト体の所定高さに位置させた後、ナットをボルト体挿通孔の両側から締付ける際に、回り止め部と当接する側のナットは保持している必要がなく、他側のナットの締付けのみを行なえばよいので、継手の取付作業性が向上する。
【図面の簡単な説明】
【００１４】
【図１】本発明の実施形態の通水管継手を示す斜視図である。
【図２】図１の通水管継手を示し、(a)は平面図、(b)は左側面図、(c)は正面図、(d)は背面図である。
【図３】図２(c)のＡ−Ａ切断線による断面図である。
【図４】図１の通水管継手に通水管を接続する前の状態を示す斜視図である。
【図５】図１の通水管継手に通水管を接続した後の状態を示す斜視図である。
【図６】図１の通水管継手をボルト体に取付ける方法を示す側面図である。
【図７】図１の通水管継手をボルト体に取付け、通水管を接続した後の状態を示す断面図である。
【図８】図１の通水管継手を根太に取付け、通水管を接続した後の状態を示す断面図である。
【図９】図２(a)の連結部の変形例を示す平面図である。
【図１０】図１の取付台座の変形例を示し、(a)は左側面図、(b)は背面図である。
【発明を実施するための形態】
【００１５】
以下、本発明の実施形態の通水管継手を図に基づいて説明する。なお、本実施形態の取付けにおいては、床下に配管された通水管を床上に立ち上げる箇所に取付ける場合を説明する。なお、以下の説明において、上下方向とは図３における上下方向と同一の向きを意味する。
【００１６】
図１乃至図５において、通水管継手１は、通水管４１が接続される継手本体２と、建物の被取付面である根太や壁面に取付けられる取付台座２１と、継手本体２と取付台座２１とを所定距離離間して連結する一対の連結壁３６，３６からなる連結部３１とを備えている。そして、その連結部３１には、ボルト体５１が挿通するボルト体挿通孔３２が設けられている。以下、各構成部材について詳細に説明する。
【００１７】
まず、継手本体２は、全体が略円筒状に形成され、下端部に下方に開口し内部に通水管４１が挿入され接続される通水管受口３が形成され、上端部に上方に開口し図示しない他の通水管接続具が接続される接続口４が形成されている。継手本体２の主要部分は、図３に示すように、樹脂材からなる略円筒状の内筒部５と、同じく樹脂材からなり内筒部５の外側を覆う略円筒状の外筒部６と、金属材からなりナット状に形成され内筒部５の上部に埋設された接続金具７とが一体に形成されて成る。樹脂部分が内筒部５と外筒部６との２層に形成されているのは、内筒部５は湯水等の通流に適した材質で形成し、外筒部６は接続固定に適した強度的に大きい材質で形成するためである。継手本体２の主要部分はインサート成形により一体に形成することができる。
【００１８】
継手本体２の内部には、通水管４１を挿入し収容可能な収容空間８が形成されており、通水管受口３から挿入された通水管４１は内部上方に設けた段部９に突き当たり停止するようになっている。段部９から僅か下方に離間した位置にはＯリングからなる止水リング１０が内嵌されており、止水リング１０は止水リング保持具１１によって一定位置に保持されている。止水リング保持具１１から更に下方には、内外に貫通し、外部から後述する抜止ピン１７の挿通部１７ｂが挿通するピン挿通孔１２が設けられている。ピン挿通孔１２は外筒部６の同一高さにおいて図３の左右それぞれ２箇所の計４箇所に設けられており、左右それぞれ２箇所のピン挿通孔１２は互いに対向している。即ち、左右それぞれにおいて、抜止ピン１７の直状の挿通部１７ｂは一方のピン挿通孔１２に挿入され外筒部６の周壁を貫通して継手本体２の内部空間に達した後、継手本体２の内部空間において周縁近傍で円の弦の部分を通過し、再び対向する他方のピン挿通孔１２に挿通されるようになっている。
【００１９】
一方、継手本体２の外部は、全体的に円筒状の外周面に形成されているが、上部の一部は、レンチ等の工具による保持を可能とすべく六角ナット状の外壁面１３に形成されている。継手本体２の高さ方向のほぼ中間位置において反対向きの２箇所には、通水管４１が所定位置まで挿入されたことを確認するための確認窓１４が設けられている。各確認窓１４から直下に僅かに離間する位置には、抜止ピン１７の中間部１７ａと係合してこれを保持し、抜止ピン１７が外方に抜け外れるのを防止するピン保持突起１５が設けられている。このピン保持突起１５の下面には上方に略円弧状に凹んだ凹部１５ａが設けられており、これに抜止ピン１７の中間部１７ａが嵌入し係合するようになっている。また、ピン挿通孔１２が設けられている４箇所にはボス状の突起部１６が突出形成されており、突起部１６の先端の平面は、外筒部６においてピン保持突起１５の設けられている箇所における周壁面より弦の方向に僅かに後退した位置にある。
【００２０】
ここで、継手本体２の外部において、六角ナット状の６辺のうち図２(b)及び(d)に示す、連結部３１側の辺の部分の外壁面１３ａは、ボルト体挿通孔３２の上側の開口部３４の外方に位置し、この側方に取付けられる後述する上側のナット５４の側面が当接可能となっており、上側のナット５４の側面と当接してこのナットの回動を規制する回り止め部１３ｂともなっている。
【００２１】
次に、取付台座２１は、略矩形平板状に形成され、連結部３１を介して継手本体２から所定距離離間して継手本体２の中心軸と平行して上下方向に設けられており、継手本体２の外筒部６と同一の樹脂材が使用され、継手本体２及び連結部３１とともに一体成形により形成されている。取付台座２１の４隅４箇所には、根太や壁面にねじ固定するためのビスが挿通されるビス挿通孔２２が設けられている。取付台座２１の上下方向の長さは継手本体２の全長より小さく形成されている。また、取付台座２１の水平方向の長さは継手本体２の外径より大きく形成され、各ビス挿通孔２２は継手本体２より左右外方に張り出した位置に設けられていて、少なくとも継手本体２の前方正面からドライバ等の工具の先端部を伸ばしてビスの締付操作を行なえるようになっている。更に、取付台座２１の左右両辺の中間部には通水管継手１を垂直状態に取付ける際の目印となる三角形状の位置決め突起２３が設けられている。
【００２２】
継手本体２と取付台座２１とを連結する連結部３１は、図２(a)に示すように、左右一対の円弧状の連結壁３６，３６で形成され、上下方向に沿って円筒状に形成されている。左右一対の連結壁３６，３６は、図２(a)に示すように、取付台座２１側においては、それぞれイ、イ’の箇所で接続された２点接続となっており、継手本体２側においては、いずれもロの１箇所に収束して接続された１点接続となっている、即ち、計３点接続となっている。一対の連結壁３６，３６の間、より正確には、一対の連結壁３６，３６及び取付台座２１の間にはボルト体５１がその軸方向に挿通するボルト体挿通孔３２が形成されている。このボルト体挿通孔３２の内壁面はねじの形成されていない平滑面に形成されている。そして、ボルト体挿通孔３２の内径は、ボルト体５１の外径より僅かに大きく形成されている。なお、ボルト体挿通孔３２は一部が取付台座２１まではみ出していてもよい。
【００２３】
連結部３１は継手本体２と取付台座２１とを所定距離離間した状態で連結しており、離間部分は通水管４１を接続する際に工具や手を差し入れるために必要な作業空間を形成している。ここで、前記所定距離とは、少なくとも通水管４１の接続作業を行なう際に工具や手を通水管の後方に回して接続作業を行なうのに必要な間隔である。連結部３１の高さ方向の中間部には補強リブ３３が形成されている。なお、補強リブ３３は上下端部等に形成してもよく、その設置位置、設置数は特に問わない。
【００２４】
連結部３１のボルト体挿通孔３２の上下両端の開口部は平面に形成され、ボルト体５１に螺合するナットの底面が当接する当接部となっている。ここで、ナットの底面を当接部に当接させるべく、連結部３１の上下両端は高さ方向において取付台座２１と同一高さにまたはこれより上下方向に突出するように形成されている。
【００２５】
次に、継手本体２のピン挿通孔１２に挿通される抜止ピン１７は、図４に示すように、金属製丸棒材からなり、全体がコ字状に折曲形成され、中間部１７ａと両側部における一対の挿通部１７ｂとで形成されている。抜止ピン１７は継手本体２の側方から左右一対の突起部１６のピン挿通孔１２内に両挿通部１７ｂが同時に挿通された後、継手本体２の内部に達し、更に、対向側のピン挿通孔１２内に挿通されるようになっている。
【００２６】
一方、通水管継手１の通水管受口３に挿入され接続される通水管４１は、架橋ポリエチレン管、ポリブテン管等の樹脂管であり、可撓性を有し、床下等に配管されて内部に湯水等が通流され、給水管、給湯管などとして使用される。
【００２７】
ボルト体５１は、全長に至ってまたは軸方向の一部長さにおいて外面に雄ねじが形成されており、例えば、建物の床下において、下端が固定座金等で固定されて基礎床面上に立設される。
【００２８】
次に、このように構成された通水管継手１に通水管４１を接続する作業を図４及び図５に基づいて説明する。
図４は通水管４１の接続前の状態を示し、予め通水管４１の先端から所定距離離間した位置に図４及び図７に示す接続リング４２を嵌め込んでおく。ここで、接続リング４２は、図７に示すように、内壁面に、引掛け爪４４を有する金属製の３個のロックリング４３が上下３段に組み込まれている。引掛け爪４４は図７において斜め上方を向いている。これにより、通水管４１の先端からその外周面に接続リング４２を強制的に嵌め込むと、ロックリング４３の引掛け爪４４が通水管４１の外周面に引掛かって食い込むため、通水管４１が接続リング４２から抜け外れるのが防止される。
【００２９】
この状態で、そのまま通水管４１を通水管継手１の通水管受口３から挿入し、先端が通水管継手１の内部の段部９に当接するまで押し込む。通水管４１の先端部が段部９まで挿入されているかは確認窓１４を通して確認することができる。次に、抜止ピン１７を通水管継手１の側方から左右一対の突起部１６のピン挿通孔１２に挿入し、外筒部６内を貫通させる。すると、抜止ピン１７は、図７に示す、通水管継手１の外筒部６の内周面と通水管４１の外周面との隙間Ｓ内に嵌入し、更に収容空間８側から対向側のピン挿通孔１２に達して外筒部６の対向側の壁面内に挿入される。このようにして、抜止ピン１７の中間部１７ａが外筒部６の周壁面に当接するまで押し込めば、中間部１７ａはピン保持突起１５の突端をその下面側から弾性的に乗り越えてピン保持突起１５の内部側に円弧状に凹んでいる凹部１５ａに嵌入し、抜止ピン１７の挿通が完了する。これにより、通水管４１の接続が完了する。この接続においては、通水管４１はワンタッチで下方から通水管継手１に接続することができる。
【００３０】
通水管４１の接続が完了した後は、図５に示すように、抜止ピン１７はピン挿通孔１２に挿通されるとともに中間部１７ａがピン保持突起１５の凹部１５ａ内に保持され、外筒部６から抜け外れるのが防止される。そして、図７に示すように、抜止ピン１７が通水管継手１の内部に挿入されることにより、これに支持されて接続リング４２が下方に移動するのが阻止され、通水管４１が通水管継手１から下方に抜脱するのが防止される。また、この状態においては、止水リング１０が通水管４１の外周面と内筒部５の内周面との双方に密接し、通水管４１内の湯水等が通水管４１の外周面と内筒部５の内周面との間を通って外部に漏出するのが防止される。なお、抜止ピン１７は、図４では、右方向から突起部１６のピン挿通孔１２に挿入しているが、１８０度反対の左側から突起部１６のピン挿通孔１２に挿通させてもよい。
【００３１】
次に、通水管継手１の取付けについて説明する。ここでは、通水管継手１を床下に配管された通水管４１の立ち上げ箇所に取付ける場合を説明する。まず、通水管継手１を床下の根太から離間した位置において基礎床面５３上に立設されたボルト体５１に取付ける一般的な場合を図６及び図７に基づいて説明する。
【００３２】
予め、ボルト体５１を、図７に示すように、固定座金５２を介して床下の基礎床面５３の所定位置に立設しておく。この状態で、まず、図６(a)に示すように、下側のナット５５をボルト体５１に螺着する。このときの下側のナット５５の螺着高さは、最終的に通水管継手１の取付けを完了した後の螺着位置より更に少し下方に下げた位置としておく。なお、図示しないが、必要に応じて下側のナット５５の上面に座金を介在させてもよい。次に、図６(b)に示すように、ボルト体５１の上方から通水管継手１を嵌め込み、連結部３１のボルト体挿通孔３２内にボルト体５１を挿通させて、通水管継手１を一旦下側のナット５５上に載置する。このとき、ボルト体挿通孔３２は内壁面がねじの形成されていない単なる平滑面に形成されているから、通水管継手１はそのまま下方に移動させるだけでよい。続いて、図６(c)に示すように、ボルト体５１に上側のナット５４を螺着する。
【００３３】
次いで、通水管継手１の外筒部６の上部には、図２(b)及び(d)に示すように、六角ナット状の回り止め部１３ｂとなる外壁面１３ａが設けられているので、通水管継手１をそのまま真直ぐ上方に押し上げ、図６(d)に示すように、ボルト体挿通孔３２の上側の開口部３４を上側のナット５４の底面に当接させてから、上側のナット５４の側面と外筒部６の回り止め部１３ｂとなる外壁面１３ａとを対向する状態に係合させる。続いて、この係合した状態で、ボルト体５１を軸として上側のナット５４と通水管継手１とを一体に回動させながら上下移動させ、通水管継手１が最適高さに達した時点で上下移動を停止させる。これに伴い、上側のナット５４も、通水管継手１の取付け高さに対応した高さに位置することになる。
【００３４】
この後、図６(e)に示すように、下側のナット５５を回しながら上方に移動させ、その上面をボルト体挿通孔３２の下側の開口部３５に当接させて上側のナット５４とで連結部３１を上下方向から挟み締付ける。このとき、通水管継手１の外筒部６の下部には回り止め部は形成されていないので、下側のナット５５はこれのみを支障なく回しながらボルト体挿通孔３２の下側の開口部３５に当接するまで螺進させることができる。以上により、所定高さにおいて通水管継手１のボルト体５１への取付けが完了する。その後は、接続リング４２が嵌着された通水管４１を前述した要領で通水管継手１の下方から通水管受口３に挿入し接続すればよい。なお、このとき、ボルト体５１の後方には十分な空間があり、この空間部分に手を回すこともできるので、通水管４１の接続作業において格別不具合を生ずることはない。図７は通水管継手１のボルト体５１への取付けが完了し、通水管４１の接続が完了した状態を示す。その後、通水管継手１の上端部の接続口４に他の通水管の継手を接続し、床上に立ち上げて台所流し、洗面、トイレ等に接続する。これにより、以後、台所流し等に給水、給湯することができる。
【００３５】
なお、上記では、通水管継手１を先にボルト体５１に取付け固定してから通水管継手１に通水管４１を接続しているが、先に通水管継手１に通水管４１を接続した後、この通水管継手１をボルト体５１に取付け固定することもできる。なお、通水管継手１をボルト体５１の最適高さに位置させるには、図６(d)の操作において、スケール等を用いて行なってもよい。
【００３６】
次に、通水管継手１を床下の根太に取付ける場合を図８に基づいて説明する。通水管継手１を根太に取付けるのは、基礎床面５３上に立設されるボルト体５１が根太の近傍にあってこの箇所に立設することが困難または不能の場合であり、通水管継手１は根太に直接取付けられる。
【００３７】
通水管継手１を根太５６に取付けるには、まず、必要に応じて根太５６の被取付面に水平取付けのための基準となる水平線を罫書き或いは線書きする。次に、この水平線に取付台座２１の両側辺に設けられた位置決め突起２３を位置合わせする。次に、通水管継手１の前方正面からドライバ等の工具を使用して４隅のビス挿通孔２２にビス５７を挿通し、根太５６の被取付面に螺着する。これにより通水管継手１を取付け固定したら、通水管継手１に通水管４１を接続する。このとき、通水管４１と、取付台座２１及び根太５６との間には、連結部３１が形成されている分の隙間が生じており、通水管４１の後方に余裕があるから、ここに手を回すことができる。このため、通水管４１を手で把持することもできるので、通水管継手１への接続作業を楽に作業性良く行なうことができる。なお、上記では通水管継手１を根太５６に取付けてから通水管４１を接続しているが、通水管継手１を根太５６に取付ける前に通水管４１を通水管継手１に接続することもできる。
【００３８】
次に、本実施形態の通水管継手１の作用を説明する。
通水管継手１は、取付台座２１及びボルト体挿通孔３２を備えているので、ボルト体５１に取付けることができるとともに、取付台座２１を介して根太５６の被取付面等に直接取付けることもでき、２種類の取付箇所に兼用できる。これにより、建物の床下における通水管４１の配管において、１個の通水管継手１を使用して、通水管継手１を根太５６から離間した箇所に取付けることができるし、根太５６の近傍に取付けることもでき、取付箇所を選ばず自在に取付けることができて便利である。
【００３９】
加えて、継手本体２と取付台座２１との連結部３１にボルト体挿通孔３２が設けられているから、従来の特許文献２に記載の取付台座付きの継手において、単に、継手本体２と取付台座２１との間に、通水管を継手に接続する際に手を差し入れるための作業空間を形成するに過ぎなかった連結部を有効活用できる。これにより、ボルト体挿通孔３２は連結部３１にすっきりまとまった状態に収まる。そして、仮にボルト体５１への取付部を新たに継手本体２に付加した場合には、その分、継手本体２の側方などに取付部による出張り等を生ずることになるが、本実施形態の通水管継手１はそのような付加部分を設けることなく既設の連結部３１を利用してボルト体挿通孔３２を形成しているのであるから、出張り等を生ずることがなく通水管継手１全体がコンパクトにまとまり、通水管継手１の取り扱い作業性も向上する。
【００４０】
加えて、連結部３１は、一対の連結壁３６，３６で構成されているので、同一断面積であっても、平板状に形成されているものと比較して、構造上強度、剛性が大きく、ボルト体挿通孔３２は変形しにくいものとなっている。
【００４１】
また、ボルト体挿通孔３２は筒状に形成されているから、筒状の連結部３１にボルト体５１がその軸方向に沿って挿通されることにより、継手は一定向きに案内され、傾いたりすることなく一定の垂直姿勢に安定して保持される。
【００４２】
更に、ボルト体挿通孔３２の上側の開口部３４の外方に、外筒部６の六角ナット状の外壁面１３ａからなる回り止め部１３ｂが設けられている。したがって、上側のナット５４及び下側のナット５５をボルト体５１に螺着させてボルト体挿通孔３２の両側から連結部３１を挟んで締付ける際に、上側のナット５４は回り止め部１３ｂと当接して回動を阻止されるから、締付作業中これを保持している必要がない。これにより、通水管継手１及び上側のナット５４をボルト体５１の所定高さに位置させた後は、下側のナット５５の締付けのみを行なえばよいから、ボルト体５１への取付作業性が向上する。
【００４３】
ところで、上記実施形態の連結部３１の一対の連結壁３６，３６は、図２(a)に示すように、継手本体２及び取付台座２１とはイ、イ’、ロの計３箇所で接続されたものを示しているが、図９(a)に示すように、両連結壁３６ともに継手本体２及び取付台座２１に対してイ、イ’、ロ、ロ’の４箇所で接続された計４点接続としてもよく、或いは、図９(b)に示すように、一対の連結壁３６，３６の両端部が１箇所に収束して継手本体２及び取付台座２１に対してイ、ロの２箇所で接続された計２点接続としてもよい。
【００４４】
また、上記実施形態の取付台座２１は略矩形平板状に形成されているが、本発明を実施する場合は、これに限られることはなく、例えば、図１０に示すように、両側方に細長の突片２４がＨ字形に張り出したものとしてもよい。なお、この場合も、当然であるが、各突片２４の先端部に設けたビス挿通孔２２は、少なくとも継手本体２の前方正面からドライバ等の工具を使用してビス締めできる程度に継手本体２より外方に突出した位置に設けられていることが必要である。
【００４５】
加えて、上記実施形態においては、ナットの側面が当接して回り止めとなる外筒部６の回り止め部１３ｂは、外筒部６の上部に設けられ、上側のナット５４が回り止めとなるものを示しているが、これに限られるものではなく、回り止め部１３ｂを外筒部６の下部に設け、下側のナット５５を回り止めするものとしてもよい。
【００４６】
更に、上記実施形態のボルト体挿通孔３２は、内壁面が平滑面に形成されているが、内壁面全長に至ってまたは一部の長さにおいてボルト体５１の雄ねじと螺合する雌ねじが形成されたものとしてもよい。この場合は、ボルト体挿通孔３２の両端部に取付けられる上下いずれかのナットを省くことも可能である。
【００４７】
そして、上記実施形態のボルト体挿通孔３２は、円筒状に形成されているが、これに限定されるものではなく、四角筒状など多角筒状のものとすることを妨げるものではない。
【００４８】
なお、通水管継手１に接続される通水管４１は、図４及び図７に示した、接続リング４２、抜止ピン１７を使用したワンタッチで接続できるものであるが、通水管継手１と通水管４１との接続構造はこれに限られるものではない。例えば、図示しないが、通水管継手１の接続部が円筒状に突出するものであり、これに通水管４１を外嵌した後、予め通水管４１の外周面に摺動自在に外嵌しておいた円筒状の締付リングを通水管継手１の接続部側に移動させて通水管４１の外周面に圧入し、通水管４１を通水管継手１の円筒状の接続部と締付リングとで内外面両側から挟圧して接続するタイプのものであってもよい。或いは、通水管継手１の接続部が円筒状に突出するものであり、通水管４１の外周面に袋ナットと割リングとを通した後、円筒状の接続部に通水管４１を外嵌し、割リングを通水管継手１の接続部側に押し付け、更にその外側から袋ナットを回して締付けることにより接続するタイプのものであってもよい。本発明の通水管継手１は、上記のような接続構造の場合にも同様に適用することができる。
【００４９】
また、本発明の通水管継手１は、取付台座２１が床下の根太５６に取付けるものを示しているが、他に、床下の大引きや間仕切り壁等の壁面への取付けに適用することもできる。また、ボルト体５１についても、床下の基礎床面５３上に立設されたものに限らず、他の箇所に設置されている場合にも同様に適用することができる。
【符号の説明】
【００５０】
１    通水管継手
２    継手本体
１３ｂ  回り止め部
２１    取付台座
３１    連結部
３２    ボルト体挿通孔
３４    上側の開口部（当接部）
３５    下側の開口部（当接部）
３６    連結壁
４１    通水管
５１    ボルト体
５４    上側のナット
５５    下側のナット
５６    根太
【図１】
0005466500.tif 000002
【図２】
0005466500.tif 000003
【図３】
0005466500.tif 000004
【図４】
0005466500.tif 000005
【図５】
0005466500.tif 000006
【図６】
0005466500.tif 000007
【図７】
0005466500.tif 000008
【図８】
0005466500.tif 000009
【図９】
0005466500.tif 000010
【図１０】
0005466500.tif 000011